(57)【要約】【課題】自動二輪車のリフトアップを適切に抑制することが可能であると共に、その際の自動二輪車にジャーク等の不自然な挙動が生じることと抑制し、運転者が受ける違和感を低減することが可能な自動二輪車のピッチ角制御装置を提供する。【解決手段】自動二輪車のピッチ角制御装置１では、制御部３が、現在のピッチ角速度の変化の傾向を表す基準ピッチ角速度ＰＲＦＬＦＴＡと、基準ピッチ角速度ＰＲＦＬＦＴＡに比較して過去のピッチ角速度の変化の傾向を表す比較ピッチ角速度ＰＲＦＬＦＴＢと、に基づき、インジェクタ５１、点火装置５２、及びスロットル弁５３を制御することによって後輪の駆動トルクを制御することにより、ピッチ角を制御する。【選択図】図１
2019065755.tif 000002
【特許請求の範囲】
【請求項１】
後輪を駆動輪とし前輪を従動輪とする自動二輪車の前記駆動輪の駆動トルクを制御することにより、前記前輪のリフトアップによるピッチ角の増加を抑制するように前記ピッチ角を制御する制御部を有する自動二輪車のピッチ角制御装置において、
前記制御部は、現在のピッチ角速度の変化の傾向を表す第１の値と、前記第１の値に比較して過去のピッチ角速度の変化の傾向を表す第２の値と、に基づき、前記駆動トルクを制御するトルク制御処理を実行することにより、前記ピッチ角を制御することを特徴とする自動二輪車のピッチ角制御装置。
【請求項２】
前記制御部は、前記第２の値における前回値の影響度合いが前記第１の値における前回値の影響度合よりも強められるように、前記第１の値及び前記第２の値を算出することを特徴とする請求項１に記載の自動二輪車のピッチ角制御装置。
【請求項３】
前記制御部は、前記駆動トルクを減衰させる初期トルク減衰処理が完了する時点で、前記トルク制御処理を開始することを特徴とする請求項１又は請求項２に記載の自動二輪車のピッチ角制御装置。
【請求項４】
前記リフトアップと前記前輪のリフトダウンとが切り換わる境界値に対応するように目標ピッチ角速度が定められており、
前記制御部は、前記初期トルク減衰処理により、前記第１の値が目標ピッチ角速度に到達した時点で、前記トルク制御処理を開始することを特徴とする請求項３に記載の自動二輪車のピッチ角制御装置。
【請求項５】
前記リフトアップを前記前輪のリフトダウンに変化させる前記駆動トルクに対応する目標駆動トルクが定められており、
前記制御部は、前記初期トルク減衰処理により、前記駆動トルクが前記目標駆動トルクに到達した時点又はそれ以降に、前記トルク制御処理を開始することを特徴とする請求項３に記載の自動二輪車のピッチ角制御装置。
【発明の詳細な説明】
【技術分野】
【０００１】
本発明は、車両のピッチ角制御装置に関し、特に、前輪がリフトし易い自動二輪車のピッチ角を制御する自動二輪車のピッチ角制御装置に関する。
【背景技術】
【０００２】
自動二輪車は、エンジンの出力により駆動輪から路面に伝わる駆動輪の実際のトルクである駆動トルク（駆動輪トルクと記すことがある）に対して車両重量が軽量であるため、アクセルグリップの急開操作やクラッチの急接続操作等により、駆動輪である後輪を接地させた状態で前輪のみが路面から浮いて離間するリフトアップ（ウィリー）の姿勢を取り易い傾向にある。ここで、例えば、自動二輪車が水平の基本姿勢からリフトアップの姿勢に移行する際に、後輪の接地点を中心として前輪の幅方向の中心軸が左側面視で時計回りに移動するとすれば、その自動二輪車における重心を通りかつ左右方向（幅方向）に平行な基準軸周りの回転角（ピッチ角）は、左側面視で時計回りに変化するのものとなり、一方で、自動二輪車がリフトアップの姿勢から水平の基本姿勢に復帰する際には、後輪の接地点を中心として前輪の中心軸が左側面視で反時計回りに移動し、ピッチ角は、左側面視で反時計回りに変化するのものとなる。また、この際、その自動二輪車における重心の位置は、後輪の接地点を中心として時計回り又は反時計回りに対応して移動しているものである。
【０００３】
かかる自動二輪車においては、前輪が過度にリフトアップして後輪のみで自立した不安定な車両姿勢となると転倒等につながる可能性が生じる傾向にあるため、過度にリフトアップすることがないようにエンジンの出力による駆動トルクを制御することが好ましい。
【０００４】
かかる状況下で、特許文献１は、トルク制御装置に関し、自動二輪車の前輪が浮き上がる恐れがある状態が検出されたならば、運転者の要求トルクより小さいトルクを自動二輪車のエンジンへの要求トルクとして出力するか、又は運転者の要求トルクと運転者の要求トルクより小さいトルクとの差分をブレーキトルクとして出力する構成を備えることを開示し、自動二輪車のウィリーの発生を抑制することを企図している。
【０００５】
また、特許文献２は、ウィリー制御装置及びその制御方法に関し、車体のピッチングに関連したパラメータに応じて、車体のウィリー状態を制御するためにかかるパラメータが目標とするターゲット軌道を算出し、かかるパラメータがターゲット軌道に近づくように車体のピッチングの増減を制御する構成を開示し、ウィリー状態を終了する際に必要以上の加速度低下や前輪接地時の衝撃を低減させることを企図している。
【０００６】
また、特許文献３は、車両の駆動トルク制御方法及び駆動トルク制御装置に関し、車両のウィリー量を検出又は算出し、ウィリーが発生した場合には、後輪に付与する駆動トルクを正常状態時の駆動トルクよりも低減し、ウィリー量が減少した場合には、駆動トルクを維持又は増大させる構成を開示し、ウィリーが発生した場合における加速不良の発生を回避することを企図している。
【先行技術文献】
【特許文献】
【０００７】
【特許文献１】国際公開第２０１４−１６７９８３号
【特許文献２】特開２０１７−１１４３４２号公報
【特許文献３】国際公開第２０１５−１３３３９６号
【発明の概要】
【発明が解決しようとする課題】
【０００８】
ここで、本発明者の検討によれば、特許文献１が開示する構成では、自動二輪車のウィリーの発生を抑制することが企図されたものであるが、ウィリーの発生を確実に抑制しようとすると、エンジンへの要求トルクが過少になったり、ブレーキトルクが過大になったりする場合があり、ウィリーの発生を抑制する制御の最中に自動二輪車にジャーク等の不自然な挙動が生じるものとなって、運転者に違和感が生じる点で改善の余地がある。
【０００９】
また、本発明者の検討によれば、特許文献２が開示する構成では、ウィリー状態を終了する際に必要以上の加速度低下や前輪接地時の衝撃を低減させることが企図されたものであるが、車体のピッチングに関連したパラメータをターゲット軌道に確実に近づけようとすると、エンジンの駆動トルクを過度に増減させてしまう場合があり、ウィリー状態を終了する制御の最中に車両にジャーク等の不自然な挙動が生じるものとなって、運転者に違和感が生じる点で改善の余地がある。
【００１０】
また、本発明者の検討によれば、特許文献３が開示する構成では、ウィリーが発生した場合における加速不良の発生を回避することが企図されたものではあるが、ウィリー量の増減に応じたものよりも過度にエンジンの駆動トルクを減増させてしまう場合があり、ウィリーが発生した場合における加速不良の発生を回避する制御の最中に車両にジャーク等の不自然な挙動が生じるものとなって、運転者に違和感が生じる点で改善の余地がある。
【００１１】
本発明は、以上の検討を経てなされたものであり、自動二輪車のリフトアップ（ウィリー）を適切に抑制することが可能であると共に、その際の自動二輪車にジャーク等の不自然な挙動が生じることと抑制し、運転者が受ける違和感を低減することが可能な自動二輪車のピッチ角制御装置を提供することを目的とする。
【課題を解決するための手段】
【００１２】
以上の目的を達成するべく、本発明は、後輪を駆動輪とし前輪を従動輪とする自動二輪車の前記駆動輪の駆動トルクを制御することにより、前記前輪のリフトアップによるピッチ角の増加を抑制するように前記ピッチ角を制御する制御部を有する自動二輪車のピッチ角制御装置において、前記制御部は、現在のピッチ角速度の変化の傾向を表す第１の値と、前記第１の値に比較して過去のピッチ角速度の変化の傾向を表す第２の値と、に基づき、前記駆動トルクを制御するトルク制御処理を実行することにより、前記ピッチ角を制御することを第１の局面とする。
【００１３】
また、本発明は、第１の局面に加えて、前記制御部は、前記第２の値における前回値の影響度合いが前記第１の値における前回値の影響度合よりも強められるように、前記第１の値及び前記第２の値を算出することを第２の局面とする。
【００１４】
さらに、本発明は、第１又は第２の局面に加えて、前記制御部は、前記駆動トルクを減衰させる初期トルク減衰処理が完了する時点で、前記トルク制御処理を開始することを第３の局面とする。
【００１５】
また、本発明は、第３の局面に加えて、前記リフトアップと前記前輪のリフトダウンとが切り換わる境界値に対応するように目標ピッチ角速度が定められており、前記制御部は、前記初期トルク減衰処理により、前記第１の値が目標ピッチ角速度に到達した時点で、前記トルク制御処理を開始することを第４の局面とする。
【００１６】
さらに、本発明は、第３の局面に加えて、前記リフトアップを前記前輪のリフトダウンに変化させる前記駆動トルクに対応する目標駆動トルクが定められており、前記制御部は、前記初期トルク減衰処理により、前記駆動トルクが前記目標駆動トルクに到達した時点又はそれ以降に、前記トルク制御処理を開始することを第５の局面とする。
【発明の効果】
【００１７】
以上の本発明の第１の局面にかかる自動二輪車のピッチ角制御装置によれば、制御部が、現在のピッチ角速度の変化の傾向を表す第１の値と、第１の値に比較して過去のピッチ角速度の変化の傾向を表す第２の値と、に基づき、駆動トルクを制御するトルク制御処理を実行することにより、ピッチ角を制御するものであるため、自動二輪車のリフトアップを適切に抑制することが可能であると共に、その際の自動二輪車にジャーク等の不自然な挙動が生じることと抑制し、運転者が受ける違和感を低減することができる。
【００１８】
また、本発明の第２の局面にかかる自動二輪車のピッチ角制御装置によれば、制御部が、第２の値における前回値の影響度合いが第１の値における前回値の影響度合よりも強められるように、第１の値及び第２の値を算出するものであるため、自動二輪車のピッチ角速度の変化の傾向を確実に把握することができる。
【００１９】
また、本発明の第３の局面にかかる自動二輪車のピッチ角制御装置によれば、制御部が、駆動トルクを減衰させる初期トルク減衰処理が完了する時点で、トルク制御処理を開始するものであるため、早期にリフトアップを解消することができる。
【００２０】
また、本発明の第４の局面にかかる自動二輪車のピッチ角制御装置によれば、リフトアップと前輪のリフトダウンとが切り換わる境界値に対応するように目標ピッチ角速度が定められており、制御部が、初期トルク減衰処理により、第１の値が目標ピッチ角速度に到達した時点で、トルク制御処理を開始するものであるため、駆動トルクの復帰を早めることができ、必要以上の駆動トルクの低下を抑えて加速感を確保しドライバビリティを向上することができる。
【００２１】
また、本発明の第５の局面にかかる自動二輪車のピッチ角制御装置によれば、リフトアップを前輪のリフトダウンに変化させる駆動トルクに対応する目標駆動トルクが定められており、制御部が、初期トルク減衰処理により、駆動トルクが目標駆動トルクに到達した時点又はそれ以降に、トルク制御処理を開始するものであるため、確実に駆動トルクを減衰させることによりリフトアップを解消させ、自動二輪車の安定性を高めることができる。
【図面の簡単な説明】
【００２２】
【図１】図１（ａ）は、本発明の実施形態における自動二輪車のピッチ角制御装置の構成を示すブロック図であり、図１（ｂ）は、図１（ａ）に示す制御部が実行する主トルク制御処理の内容を説明するための表である。
【図２】図２は、本実施形態における自動二輪車のピッチ角制御装置によるピッチ角速度制御処理の流れを示すフローチャートである。
【図３】図３は、本実施形態における自動二輪車のピッチ角制御装置によるピッチ角速度制御処理の変形例の流れを示すフローチャートである。
【図４】図４（ａ）は、図２に示すピッチ角速度制御処理の流れを説明するためのピッチ角速度及び駆動輪トルクのタイミングチャートの一例であり、図４（ｂ）は、図３に示すピッチ角速度制御処理の変形例の流れを説明するためのピッチ角速度及び駆動輪トルクのタイミングチャートの一例である。
【発明を実施するための形態】
【００２３】
以下、図面を適宜参照して、本発明の実施形態における自動二輪車のピッチ角制御装置につき、詳細に説明する。なお、以下では、自動二輪車の座標系として、自動二輪車の前後方向（長手方向）軸、左右方向（幅方向）軸及び上下方向（鉛直方向）軸からなる３軸直交座標系を用いて説明をする。
【００２４】
〔ピッチ角制御装置の構成〕
まず、図１（ａ）及び図１（ｂ）を参照して、本実施形態における自動二輪車のピッチ角制御装置の構成について説明する。
【００２５】
図１（ａ）は、本実施形態における自動二輪車のピッチ角制御装置の構成を示すブロック図であり、図１（ｂ）は、図１（ａ）に示す制御部３が実行する主トルク制御処理の内容を説明するための表である。
【００２６】
図１（ａ）に示すように、本実施形態におけるピッチ角制御装置１は、自動二輪車に適用され、ＥＣＵ（Ｅｌｅｃｔｒｏｎｉｃ  Ｃｏｎｔｒｏｌ  Ｕｎｉｔ）等の電子制御装置によって構成され、後輪を駆動輪とし前輪を従動輪とする自動二輪車に搭載されている。ピッチ角制御装置１には、自動二輪車のエンジン（内燃機関）の回転数を検出するクランクセンサ４１、自動二輪車の変速ギアの位置を検出するギアポジションセンサ４２、自動二輪車のアクセルグリップの開度を検出するアクセルポジションセンサ４３、自動二輪車の前輪の回転速度である前輪速を検出する前輪速センサ４４、自動二輪車の後輪の回転速度である後輪速を検出する後輪速センサ４５、及び自動二輪車の加速度を検出する加速度センサ４６が電気的に接続されている。なお、これらの各種センサに関する波形成形回路やＡ／Ｄ（Ａｎａｌｏｇ／Ｄｉｇｉｔａｌ）変換回路等の入力回路については、それらの図示を省略する。
【００２７】
ピッチ角制御装置１は、前輪リフト状態判定部２と、制御部３と、を備えている。かかる前輪リフト状態判定部２及び制御部３は、いずれも機能ブロックとして示す。なお、ピッチ角制御装置１は、図示を省略するメモリを備えており、かかるメモリに格納された各種の演算処理用プログラムやデータを必要に応じて読み出して用いる。
【００２８】
前輪リフト状態判定部２は、前輪速及び後輪速間の差、アクセルグリップの開度、変速ギアの位置等に基づいて、前輪がリフトアップ状態にあるか否かを判定するものである。
【００２９】
制御部３は、前輪リフト状態判定部２の判定結果を利用して、駆動輪の実際の駆動トルクである後輪の駆動トルクを減衰させる初期トルク減衰処理（減衰成分無しに単に減少させてもよい）、及び初期トルク減衰処理の完了時に引き続き実行される主トルク制御処理を含むトルク制御処理を伴うピッチ角速度制御処理を実行することにより、前輪のリフトアップによるピッチ角の増加を抑制するようにピッチ角を制御するものである。
【００３０】
ここで、自動二輪車が水平の基本姿勢から前輪がリフトアップ状態になった姿勢に移行する際に、例えば、後輪の接地点を中心として前輪の幅方向の中心軸が左側面視で時計回りに移動するとすれば、その自動二輪車における重心（典型的には自動二輪車の油脂充填・燃料搭載時の重心）を通りかつ幅方向に平行な軸周りの回転角が、ピッチ角に相当する。かかるピッチ角については、例えば、左側面視で時計回りの回転方向を、前輪のリフトアップが進行する際の正方向であるとする。ピッチ角制御装置１が適用される自動二輪車は、角度センサは備えておらず、ＩＭＵ（Ｉｎｅｒｔｉａｌ  Ｍｅａｓｕｒｅｍｅｎｔ  Ｕｎｉｔ）内に加速度センサ４６を備えているものであるが、ピッチ角制御装置１は、加速度センサ４６からの電気信号を用いて、自動二輪車の前後方向及び上下方向の加速度成分を各々検出することができ、かかる加速度成分から単位時間当たりのピッチ角であるピッチ角速度を算出することができる。
【００３１】
具体的には、主トルク制御処理において、制御部３は、現在のピッチ角速度の変化の傾向を表す基準ピッチ角速度ＰＲＦＬＦＴＡと、基準ピッチ角速度ＰＲＦＬＦＴＡに比較して過去のピッチ角速度の変化の傾向を表す比較ピッチ角速度ＰＲＦＬＦＴＢと、を算出すると共に、これらの基準ピッチ角速度ＰＲＦＬＦＴＡ及び比較ピッチ角速度ＰＲＦＬＦＴＢに基づき、インジェクタ５１、点火装置５２、及びスロットル弁５３を制御することによって後輪の駆動トルクを制御することにより、ピッチ角を制御する。これにより、自動二輪車のリフトアップを適切に抑制すると共に、その際の自動二輪車にジャーク等の不自然な挙動が生じることと抑制して、運転者が受ける違和感を低減する。
【００３２】
一般に、自動二輪車のピッチ角速度の変化の傾向を用いずに、自動二輪車のピッチ角速度の瞬間的な１点の値のみを用いると、自動二輪車の車両姿勢に応じた駆動トルクの制御が適切にできないため過度の駆動トルクの制御が実行されてしまう。このため、自動二輪車のジャークが大きくなり、運転者に違和感を与えることになる。これに対して、角度センサを装着せずに加速度センサを装着した自動二輪車において、自動二輪車のピッチ角速度の変化の傾向を用いることで、駆動トルクひいては自動二輪車のピッチ角を精度よく制御することが可能となり、自動二輪車のジャーク挙動を抑制し、運転者に違和感を与えることを抑制する。
【００３３】
また、一般に、現在のピッチ角速度のみを用いると、リフトアップ中及びリフトダウン中のいずれであるかのみの判定を行うことが可能である。これに対して、過去のピッチ角速度の変化の傾向と現在のピッチ角速度の変化の傾向とを用いることで、ピッチ角速度が増加中及び減少中のいずれであるのかを判定することが可能となる。
【００３４】
詳しくは、主トルク制御処理において、制御部３は、以下に示す式（数１）を用いたフィルタ処理により、基準ピッチ角速度ＰＲＦＬＦＴＡの今回値を算出する。ここで、式（数１）において、ＰＲＦＬＦは、加速度センサ４６からの電気信号を用いて今回のピッチ角速度制御処理のルーチンで算出された実際のピッチ角速度（実ピッチ角速度）であり、ＣＦＰＲＦＬＦＴＡは、フィルタリング係数であって１以下の正数である。また、ＰＲＦＬＦＴＡ（今回値）は、今回のピッチ角速度制御処理のルーチンで算出される基準ピッチ角速度の値であり、ＰＲＦＬＦＴＡ（前回値）は、今回のピッチ角速度制御処理のルーチンよりも１つ前のルーチンで算出された基準ピッチ角速度の値である。
【００３５】
【数１】
2019065755.tif 000003
【００３６】
また、制御部３は、以下に示す式（数２）を用いたフィルタ処理により、比較ピッチ角速度ＰＲＦＬＦＴＢの今回値を算出する。ここで、式（数２）において、ＰＲＦＬＦは実ピッチ角速度であり、ＣＦＰＲＦＬＦＴＢは、フィルタリング係数であって１以下の正数である。また、ＰＲＦＬＦＴＢ（今回値）は、今回のピッチ角速度制御処理のルーチンで算出される比較ピッチ角速度の値を示し、ＰＲＦＬＦＴＢ（前回値）は、今回のピッチ角速度制御処理のルーチンよりも１つ前のルーチンで算出された比較ピッチ角速度の値を示す。
【００３７】
【数２】
2019065755.tif 000004
【００３８】
ここで、フィルタリング係数ＣＦＰＲＦＬＦＴＡの値は、フィルタリング係数ＣＦＰＲＦＬＦＴＢの値以上の値に設定されている。これにより、基準ピッチ角速度ＰＲＦＬＦＴＡの式（数１）では、前回のピッチ角速度に関する第２項よりも今回のピッチ角速度に関する第１項が支配的となってフィルタ効果が弱くなり、比較ピッチ角速度ＰＲＦＬＦＴＢの計式（数２）では、今回のピッチ角速度に関する第１項よりも前回のピッチ角速度に関する第２項が支配的となってフィルタ効果が強くなる。これにより、自動二輪車のピッチ角速度の変化の傾向が確実に把握され得る。
【００３９】
また、制御部３は、式（数１）及び式（数２）に代えて、以下に示す式（数３）及び式（数４）を用いた移動平均処理により、基準ピッチ角速度ＰＲＦＬＦＴＡ及び比較ピッチ角速度ＰＲＦＬＦＴＢを求めてもよい。ここで、式（数３）及び式（数４）において、Ｎは、自然数であって、典型的には、ピッチ角速度制御処理における今回までの基準ピッチ角速度ＰＲＦＬＦＴＡ及び比較ピッチ角速度ＰＲＦＬＦＴＢの算出回数に相当し、ｎ及びｍは、Ｎ＞ｎ、Ｎ＞ｍ及びｍ＞ｎの関係を満足する自然数である。
【００４０】
【数３】
2019065755.tif 000005
【００４１】
【数４】
2019065755.tif 000006
【００４２】
そして、図１（ｂ）に示すように、基準ピッチ角速度ＰＲＦＬＦＴＡの値が所定の目標ピッチ角速度ＰＲＦＴＲＧの値より大きい場合、制御部３は、後輪の接地点を中心として前輪の中心軸がリフトアップとは反対向きに移動するリフトダウン中であるリフトダウン状態にあると判断する。ここで、目標ピッチ角速度ＰＲＦＴＲＧの値は、前輪のリフトアップと前輪のリフトダウンとが切り換わる境界値に対応するように定められている。そして、基準ピッチ角速度ＰＲＦＬＦＴＡの値が比較ピッチ角速度ＰＲＦＬＦＴＢの値より大きい場合には、制御部３は、急速なリフトダウン傾向にあると判断し、所定のリフトダウン抑制中用更新周期毎に、リフトアップ抑制中用操作量を後輪の駆動トルクに加算することにより、前輪のリフトダウンを抑制すべく後輪の駆動トルクを上げる（増加する）。一方、基準ピッチ角速度ＰＲＦＬＦＴＡの値が比較ピッチ角速度ＰＲＦＬＦＴＢの値以下である場合には、制御部３は、緩慢なリフトダウン傾向にあると判断し、所定のリフトダウン抑制済用更新周期の毎に、リフトアップ抑制済用操作量を後輪の駆動トルクに加算することにより、前輪のリフトダウンを抑制している状態を維持すべく後輪の駆動トルクを保持又は微増する。
【００４３】
また、図１（ｂ）に示すように、基準ピッチ角速度ＰＲＦＬＦＴＡの値が所定の目標ピッチ角速度ＰＲＦＴＲＧの値以下である場合には、制御部３は、前輪がリフトアップ中であるリフトアップ状態にあると判断する。そして、基準ピッチ角速度ＰＲＦＬＦＴＡの値が比較ピッチ角速度ＰＲＦＬＦＴＢの値より大きい場合には、制御部３は、緩慢なリフトアップ傾向にあると判断し、所定のリフトアップ抑制済用更新周期毎に、リフトアップ抑制済用操作量を後輪の駆動トルクから減算することにより、前輪のリフトアップを抑制している状態を維持すべく後輪の駆動トルクを保持又は微減する。一方、基準ピッチ角速度ＰＲＦＬＦＴＡの値が比較ピッチ角速度ＰＲＦＬＦＴＢの値以下である場合には、制御部３は、急速なリフトアップ傾向にあると判断し、所定のリフトアップ抑制中用更新周期毎に、リフトアップ抑制中用操作量を後輪の駆動トルクから減算することにより、前輪のリフトアップを抑制すべく後輪の駆動トルクを下げる（減少する）。なお、このように操作量が加算又は減算される対象の後輪の駆動トルクは、典型的には、ピッチ角速度制御処理の主トルク制御処理の前回の処理ルーチンで、エンジン回転数や変速・駆動系の変速比やタイヤ系に応じて算出された値（典型的には最新の算出値）である。
【００４４】
また、制御部３は、初期トルク減衰処理が完了した時点から主トルク制御処理を開始することが好ましい。これにより、早期に前輪のリフトアップが解消され得る。
【００４５】
ここで、初期トルク減衰処理は、後輪の駆動トルクを目標駆動トルクに向かって減衰（減少）させるものである。かかる目標駆動トルクは、前輪のリフトアップを前輪のリフトダウンに変化させる後輪の駆動トルクの値に対応する値を有するものとして予め定められている。詳しくは、目標駆動トルクは、初期トルク減衰処理が開始されるタイミングで、後輪速、前輪速及び後輪速間の差、アクセルグリップの開度、変速ギアの位置等に基づいて、制御部３により算出されるものである。
【００４６】
また、制御部３は、初期トルク減衰処理により、後輪の駆動トルクを目標駆動トルクに向かって減衰（減少）させながら、基準ピッチ角速度ＰＲＦＬＦＴＡが目標ピッチ角速度ＰＲＦＴＲＧに到達した時点で、主トルク制御処理を開始してもよい。これにより、後輪の駆動トルクの復帰が早まり、必要以上の駆動トルクの低下が抑制されて加速感が確保されドライバビリティが向上され得る。
【００４７】
また、制御部３は、初期トルク減衰処理により、後輪の駆動トルクを目標駆動トルクに向かって減衰（減少）させていき、後輪の駆動トルクが目標駆動トルクに到達した時点又はそれから後輪の駆動トルクが目標駆動トルクに保持される状態が所定時間経過した時点で主トルク制御処理を開始してもよい。これにより、確実に駆動トルクが減衰されることによりリフトアップが解消され、自動二輪車の安定性が高められ得る。
【００４８】
以下、図２から図４を参照して、本実施形態におけるピッチ角速度制御処理及びその変形例を実行する際の制御部３の動作につき、詳細に説明する。
【００４９】
〔ピッチ角速度制御処理〕
まず、初期トルク減衰処理により、後輪の駆動トルクを目標駆動トルクに向かって減衰（減少）させながら、基準ピッチ角速度ＰＲＦＬＦＴＡが目標ピッチ角速度ＰＲＦＴＲＧに到達した時点で開始される主トルク制御処理を含むピッチ角速度制御処理につき、図２及び図４（ａ）を参照して、詳細に説明する。
【００５０】
図２は、本実施形態における制御部３が実行するピッチ角速度制御処理の流れを示すフローチャートである。また、図４（ａ）は、図２に示すピッチ角速度制御処理の流れを説明するためのピッチ角速度及び駆動トルク（駆動輪トルクと表記する）のタイミングチャートの一例である。
【００５１】
図２に示すフローチャートは、自動二輪車の図示を省略するイグニッションスイッチがオンされ、ピッチ角制御装置１が起動したタイミングで開始となり、ピッチ角速度制御処理はステップＳ１の処理に進む。ピッチ角速度制御処理は、自動二輪車が起動されてピッチ角制御装置１が起動されている間、所定の制御周期毎に繰り返し実行される。
【００５２】
ステップＳ１の処理では、制御部３が、更新周期カウンタの値がゼロであるか否かを判別することにより、更新周期であるか否かを判別する。ここで、更新周期カウンタは、典型的には減算カウンタとしてのプログラムカウンタである。判別の結果、更新周期カウンタの値がゼロである場合（ステップＳ１：Ｙｅｓ）、制御部３は、更新周期であると判断し、ピッチ角速度制御処理をステップＳ３の処理に進める。一方、更新周期カウンタの値がゼロでない場合には（ステップＳ１：Ｎｏ）、制御部３は、更新周期でないと判断し、ピッチ角速度制御処理をステップＳ２の処理に進める。
【００５３】
ステップＳ２の処理では、制御部３が、更新周期カウンタの値を減算する。これにより、ステップＳ２の処理は完了し、ピッチ角速度制御処理はステップＳ１８の処理に進む。
【００５４】
ステップＳ３の処理では、制御部３が、基準ピッチ角速度ＰＲＦＬＦＴＡが目標ピッチ角速度ＰＲＦＴＲＧ以下であるか否かを判別する。判別の結果、基準ピッチ角速度ＰＲＦＬＦＴＡが目標ピッチ角速度ＰＲＦＴＲＧ以下である場合（ステップＳ２：Ｙｅｓ）、制御部３は、ピッチ角速度制御処理をステップＳ１０の処理に進める。一方、基準ピッチ角速度ＰＲＦＬＦＴＡが目標ピッチ角速度ＰＲＦＴＲＧより大きい場合には（ステップＳ２：Ｎｏ）、制御部３は、ピッチ角速度制御処理をステップＳ４の処理に進める。
【００５５】
ここで、図４（ａ）に示す時刻ｔ＝ｔ２において、基準ピッチ角速度ＰＲＦＬＦＴＡが目標ピッチ角速度ＰＲＦＴＲＧよりも大きくなり始めて前輪のリフトアップが終わり、前輪のリフトダウンが始まると共に初期トルク減衰処理が完了する。また、図４（ａ）に示す時刻ｔ＝ｔ４において、基準ピッチ角速度ＰＲＦＬＦＴＡが目標ピッチ角速度ＰＲＦＴＲＧ以下になり始めて前輪のリフトアップが始まる。また、図４（ａ）に示す時刻ｔ＝ｔ６において、基準ピッチ角速度ＰＲＦＬＦＴＡが目標ピッチ角速度ＰＲＦＴＲＧよりも大きくなり始めて前輪のリフトアップが終わり、前輪のリフトダウンが始まる。
【００５６】
ステップＳ４の処理では、制御部３が、初期トルク減衰要求フラグの値を「０」に設定（０クリア）する。ここで、初期トルク減衰要求フラグの値は、前輪リフト状態判定部２が、前輪速及び後輪速間の差、アクセルグリップの開度、変速ギアの位置等に基づいて、前輪がリフトアップ状態にあると判定した場合に「１」に設定されるものである。これにより、ステップＳ４の処理は完了し、ピッチ角速度制御処理はステップＳ５の処理に進む。
【００５７】
ここで、図４（ａ）に示す時刻ｔ＝ｔ２において、初期トルク減衰要求フラグの値が「１」から「０」に設定（０クリア）されることになる。
【００５８】
ステップＳ５の処理では、制御部３が、基準ピッチ角速度ＰＲＦＬＦＴＡが比較ピッチ角速度ＰＲＦＬＦＴＢ以下であるか否かを判別する。判別の結果、基準ピッチ角速度ＰＲＦＬＦＴＡが比較ピッチ角速度ＰＲＦＬＦＴＢ以下である場合（ステップＳ５：Ｙｅｓ）、制御部３は、前輪のリフトダウンを抑制済みであると判断し、ピッチ角速度制御処理をステップＳ８の処理に進める。一方、基準ピッチ角速度ＰＲＦＬＦＴＡが比較ピッチ角速度ＰＲＦＬＦＴＢより大きい場合には（ステップＳ５：Ｎｏ）、制御部３は、ピッチ角速度制御処理をステップＳ６の処理に進める。
【００５９】
ここで、図４（ａ）に示す時刻ｔ＝ｔ３において、基準ピッチ角速度ＰＲＦＬＦＴＡが比較ピッチ角速度ＰＲＦＬＦＴＢ以下となり、前輪のリフトダウンは抑制済みになる。また、図４（ａ）に示す時刻ｔ＝ｔ７において、基準ピッチ角速度ＰＲＦＬＦＴＡが比較ピッチ角速度ＰＲＦＬＦＴＢ以下となり、前輪のリフトダウンは抑制済みになる。なお、図４（ａ）に示す時刻ｔ＝ｔ７のあたりで前輪が接地することになる。
【００６０】
ステップＳ６の処理では、制御部３が、更新周期カウンタの値にリフトダウン抑制中用の更新周期に対応する値をセットする。これにより、ステップＳ６の処理は完了し、ピッチ角速度制御処理はステップＳ７の処理に進む。
【００６１】
ステップＳ７の処理では、制御部３が、駆動輪トルクにリフトダウン抑制中用操作量を加算する。これにより、ステップＳ７の処理は完了し、ピッチ角速度制御処理はステップＳ１８の処理に進む。
【００６２】
ステップＳ８の処理では、制御部３が、更新周期カウンタの値にリフトダウン抑制済用の更新周期に対応する値をセットする。これにより、ステップＳ８の処理は完了し、ピッチ角速度制御処理はステップＳ９の処理に進む。
【００６３】
ステップＳ９の処理では、制御部３が、駆動輪トルクにリフトダウン抑制済用操作量を加算する。これにより、ステップＳ９の処理は完了し、ピッチ角速度制御処理はステップＳ１８の処理に進む。
【００６４】
ステップＳ１０の処理では、制御部３が、初期トルク減衰要求フラグの値が「１」であるか否かを判別することにより、初期トルク減衰要求中であるか否かを判別する。判別の結果、初期トルク減衰要求フラグの値が「１」である場合（ステップＳ１０：Ｙｅｓ）、制御部３は、初期トルク減衰要求中であると判断し、ピッチ角速度制御処理をステップＳ１６の処理に進める。一方、初期トルク減衰要求フラグの値が「０」である場合には（ステップＳ１０：Ｎｏ）、制御部３は、ピッチ角速度制御処理をステップＳ１１の処理に進める。
【００６５】
ここで、図４（ａ）に示す時刻ｔ＝ｔ１において、制御部３は、前輪リフト状態判定部２が、前輪速及び後輪速間の差、アクセルグリップの開度、変速ギアの位置等に基づいて、前輪がリフトアップ状態にあると判定したことにより設定された初期トルク減衰要求フラグの値が「１」であると判別し始めると共に、時刻ｔ＝ｔ１からｔ２の間で初期トルク減衰要求フラグの値が「１」であると継続的に判別する。
【００６６】
ステップＳ１１の処理では、制御部３が、基準ピッチ角速度ＰＲＦＬＦＴＡが比較ピッチ角速度ＰＲＦＬＦＴＢ以下であるか否かを判別する。判別の結果、基準ピッチ角速度ＰＲＦＬＦＴＡが比較ピッチ角速度ＰＲＦＬＦＴＢ以下である場合（ステップＳ１１：Ｙｅｓ）、制御部３は、ピッチ角速度制御処理をステップＳ１４の処理に進める。一方、基準ピッチ角速度ＰＲＦＬＦＴＡが比較ピッチ角速度ＰＲＦＬＦＴＢより大きい場合には（ステップＳ１１：Ｎｏ）、制御部３は、前輪のリフトアップを抑制済みであると判断し、ピッチ角速度制御処理をステップＳ１２の処理に進める。
【００６７】
ここで、図４（ａ）に示す時刻ｔ＝ｔ５において、基準ピッチ角速度ＰＲＦＬＦＴＡが比較ピッチ角速度ＰＲＦＬＦＴＢよりも大きくなり、リフトアップ抑制済みになっている。
【００６８】
ステップＳ１２の処理では、制御部３が、更新周期カウンタの値にリフトアップ抑制済用の更新周期に対応する値をセットする。これにより、ステップＳ１２の処理は完了し、ピッチ角速度制御処理はステップＳ１３の処理に進む。
【００６９】
ステップＳ１３の処理では、制御部３が、駆動輪トルクからリフトアップ抑制済用操作量を減算する。これにより、ステップＳ１３の処理は完了し、ピッチ角速度制御処理はステップＳ１８の処理に進む。
【００７０】
ステップＳ１４の処理では、制御部３が、更新周期カウンタの値にリフトアップ抑制中用の更新周期に対応する値をセットする。これにより、ステップＳ１４の処理は完了し、ピッチ角速度制御処理はステップＳ１５の処理に進む。
【００７１】
ステップＳ１５の処理では、制御部３が、駆動輪トルクからリフトアップ抑制中用操作量を減算する。これにより、ステップＳ１５の処理は完了し、ピッチ角速度制御処理はステップＳ１８の処理に進む。
【００７２】
ステップＳ１６の処理では、制御部３が、更新周期カウンタの値に初期トルク減衰処理用の更新周期に対応する値をセットする。これにより、ステップＳ１６の処理は完了し、ピッチ角速度制御処理はステップＳ１７の処理に進む。
【００７３】
ステップＳ１７の処理では、制御部３が、駆動輪トルクから初期トルク減衰処理用の操作量を減算する。これにより、ステップＳ１７の処理は完了し、ピッチ角速度制御処理はステップＳ１８の処理に進む。
【００７４】
ステップＳ１８の処理では、制御部３が、駆動輪トルクが運転者指示駆動輪トルク以下であるか否かを判別する。ここで、運転者指示駆動輪トルクは、アクセルポジションセンサ４３によって検出されたアクセルグリップの開度に対応する目標駆動輪トルクのことを意味する。判別の結果、駆動輪トルクが運転者指示駆動輪トルク以下である場合（ステップＳ１８：Ｙｅｓ）、制御部３は、ピッチ角速度制御処理をステップＳ２０の処理に進める。一方、駆動輪トルクが運転者指示駆動輪トルクより大きい場合には（ステップＳ１８：Ｙｅｓ）、制御部３は、運転者による減速指示があったと判断し、ピッチ角速度制御処理をステップＳ１９の処理に進める。
【００７５】
ステップＳ１９の処理では、制御部３が、駆動輪トルクを運転者指示駆動輪トルクに制御する。これにより、ステップＳ１９の処理は完了し、一連のピッチ角速度制御処理は終了する。
【００７６】
ここで、図４（ａ）に示す時刻ｔ＝ｔ８において、駆動輪トルク（実駆動輪トルクと表記する）が運転者指示駆動輪トルクに復帰している。
【００７７】
ステップＳ２０の処理では、制御部３が、駆動輪トルクが目標駆動輪トルク以上であるか否かを判別する。ここで、目標駆動輪トルクは、前輪のリフトアップを解消するためのものであり、前輪のリフトアップを前輪のリフトダウンに変化させる駆動輪トルクに対応する。一方、駆動輪トルクが目標駆動輪トルク未満である場合には（ステップＳ２０：Ｎｏ）、制御部３は、ピッチ角速度制御処理をステップＳ２１の処理に進める。
【００７８】
ステップＳ２１の処理では、制御部３が、駆動輪トルクを目標駆動輪トルクに制御する。これにより、ステップＳ２１の処理は完了し、一連のピッチ角速度制御処理は終了する。
【００７９】
以上の本実施形態における自動二輪車のピッチ角制御装置１によれば、制御部３が、現在のピッチ角速度の変化の傾向を表す第１の値ＰＲＦＬＦＴＡと、第１の値ＰＲＦＬＦＴＡに比較して過去のピッチ角速度の変化の傾向を表す第２の値ＰＲＦＬＦＴＢと、に基づき、駆動トルクを制御するトルク制御処理を実行することにより、ピッチ角を制御するものであるため、自動二輪車のリフトアップを適切に抑制することが可能であると共に、その際の自動二輪車にジャーク等の不自然な挙動が生じることと抑制し、運転者が受ける違和感を低減することができる。
【００８０】
また、本実施形態における自動二輪車のピッチ角制御装置１によれば、制御部３が、第２の値ＰＲＦＬＦＴＢにおける前回値の影響度合いが第１の値ＰＲＦＬＦＴＡにおける前回値の影響度合よりも強められるように、第１の値ＰＲＦＬＦＴＡ及び第２の値ＰＲＦＬＦＴＢを算出するものであるため、自動二輪車のピッチ角速度の変化の傾向を確実に把握することができる。
【００８１】
また、本実施形態における自動二輪車のピッチ角制御装置１によれば、制御部３が、駆動トルクを減衰させる初期トルク減衰処理が完了する時点で、トルク制御処理を開始するものであるため、早期にリフトアップを解消することができる。
【００８２】
また、本実施形態における自動二輪車のピッチ角制御装置１によれば、リフトアップと前輪のリフトダウンとが切り換わる境界値に対応するように目標ピッチ角速度ＰＲＦＴＲＧが定められており、制御部３が、初期トルク減衰処理により、第１の値ＰＲＦＬＦＴＡが目標ピッチ角速度ＰＲＦＴＲＧに到達した時点で、トルク制御処理を開始するものであるため、駆動トルクの復帰を早めることができ、必要以上の駆動トルクの低下を抑えて加速感を確保しドライバビリティを向上することができる。
【００８３】
〔変形例におけるピッチ角速度制御処理〕
次に、初期トルク減衰処理により、後輪の駆動トルクを目標駆動トルクに向かって減衰（減少）させていき、後輪の駆動トルクが目標駆動トルクに到達した時点又はそれから後輪の駆動トルクが目標駆動トルクに保持される状態が所定時間経過した時点で開始される主トルク制御処理を含む変形例のピッチ角速度制御処理につき、図３及び図４（ｂ）を参照して、詳細に説明する。
【００８４】
図３は、本実施形態における制御部３が実行するピッチ角速度制御処理の変形例の流れを示すフローチャートである。また、図４（ｂ）は、図３に示すピッチ角速度制御処理の変形例の流れを説明するためのピッチ角速度及び駆動輪トルクのタイミングチャートの一例である。
【００８５】
本変形例のピッチ角速度制御処理においては、特に、図３に示すステップＳ３６からステップＳ４０の処理は、図２に示すステップＳ５からステップＳ９の処理と同じ一連のフローになり、図３に示すステップＳ４１からステップＳ４５の処理は、図２に示すステップＳ１１からステップＳ１５の処理と同じ一連のフローになり、ステップＳ４６からステップＳ４９の処理は、図２に示すステップＳ１８からステップＳ２１の処理と同じ一連のフローになるため、その説明は省略することとし、図２に対する相違点に特に着目して、以下、説明していく。
【００８６】
図３に示すフローチャートも、自動二輪車の図示を省略するイグニッションスイッチがオンされ、ピッチ角制御装置１が起動したタイミングで開始となり、ピッチ角速度制御処理はステップＳ３１の処理に進む。ピッチ角速度制御処理は、自動二輪車が起動されてピッチ角制御装置１が起動されている間、所定の制御周期毎に繰り返し実行される。
【００８７】
ステップＳ３１の処理では、図２に示すステップＳ１０の処理と同様に、制御部３が、初期トルク減衰処理を実行中であるか否かを判別する。判別の結果、初期トルク減衰処理を実行中である場合（ステップＳ３１：Ｙｅｓ）、制御部３は、ピッチ角速度制御処理をステップＳ３２の処理に進める。一方、初期トルク減衰処理を実行中でない場合には（ステップＳ３１：Ｎｏ）、制御部３は、ピッチ角速度制御処理をステップＳ３３の処理に進める。
【００８８】
ステップＳ３２の処理では、制御部３が、駆動輪トルクを目標駆動輪トルクまで減算する。ここで、目標駆動輪トルクは、前輪のリフトアップを解消するためのものであり、前輪のリフトアップを前輪のリフトダウンに変化させる駆動輪トルクに対応する。目標駆動輪トルクは、後輪速、前輪速及び後輪速間の差、アクセルグリップの開度、変速ギアの位置等に基づいて算出される。これにより、ステップＳ３２の処理は完了し、ピッチ角速度制御処理はステップＳ４６の処理に進む。
【００８９】
ここで、図４（ｂ）に示す時刻ｔ＝ｔ１２において、駆動輪トルク（実駆動輪トルクと表記する）が目標駆動輪トルクに一致している。
【００９０】
ステップＳ３３の処理では、図２に示すステップＳ１の処理と同様に、制御部３が、減算カウンタである更新周期カウンタの値がゼロであるか否かを判別することにより、更新周期であるか否かを判別する。判別の結果、更新周期カウンタの値がゼロである場合（ステップＳ３３：Ｙｅｓ）、制御部３は、更新周期であると判断し、ピッチ角速度制御処理をステップＳ３５の処理に進める。一方、更新周期カウンタの値がゼロでない場合には（ステップＳ３３：Ｎｏ）、制御部３は、更新周期でないと判断し、ピッチ角速度制御処理をステップＳ３４の処理に進める。
【００９１】
ステップＳ３４の処理では、図２に示すステップＳ２の処理と同様に、制御部３が、更新周期カウンタの値を減算する。これにより、ステップＳ３４の処理は完了し、ピッチ角速度制御処理はステップＳ４６の処理に進む。
【００９２】
ステップＳ３５の処理では、図２に示すステップＳ２の処理と同様に、制御部３が、基準ピッチ角速度ＰＲＦＬＦＴＡが目標ピッチ角速度ＰＲＦＴＲＧ以下であるか否かを判別する。判別の結果、基準ピッチ角速度ＰＲＦＬＦＴＡが目標ピッチ角速度ＰＲＦＴＲＧ以下である場合（ステップＳ３５：Ｙｅｓ）、制御部３は、ピッチ角速度制御処理をステップＳ４１の処理に進める。一方、基準ピッチ角速度ＰＲＦＬＦＴＡが目標ピッチ角速度ＰＲＦＴＲＧより大きい場合には（ステップＳ３５：Ｎｏ）、制御部３は、ピッチ角速度制御処理をステップＳ３６の処理に進める。
【００９３】
ここで、図４（ｂ）に示す時刻ｔ＝ｔ１３において、基準ピッチ角速度ＰＲＦＬＦＴＡが目標ピッチ角速度ＰＲＦＴＲＧよりも大きくなり始めて前輪のリフトアップが終わり、前輪のリフトダウンが始まると共に初期トルク減衰処理が完了する。なお、図４（ｂ）に示す時刻ｔ＝ｔ１２からｔ１３の期間では、駆動輪トルク（実駆動輪トルク）を目標駆動輪トルクに一致させた状態が維持されている。
【００９４】
また、図３に示すステップＳ３６からステップＳ４０の処理は、図２に示すステップＳ５からステップＳ９の処理と同じ内容になり、図３に示すステップＳ４１からステップＳ４５の処理は、図２に示すステップＳ１１からステップＳ１５の処理と同じ内容になり、ステップＳ４６からステップＳ４９の処理は、図２に示すステップＳ１８からステップＳ２１の処理と同じ内容になる
【００９５】
以上の本変形例おける自動二輪車のピッチ角制御装置１によれば、リフトアップを前輪のリフトダウンに変化させる駆動トルクに対応する目標駆動トルクが定められており、制御部３が、初期トルク減衰処理により、駆動トルクが目標駆動トルクに到達した時点又はそれ以降に、トルク制御処理を開始するものであるため、確実に駆動トルクを減衰させることによりリフトアップを解消させ、自動二輪車の安定性を高めることができる。
【００９６】
なお、本発明は、部材の種類、形状、配置、個数等は前述の実施形態に限定されるものではなく、その構成要素を同等の作用効果を奏するものに適宜置換する等、発明の要旨を逸脱しない範囲で適宜変更可能であることはもちろんである。
【産業上の利用可能性】
【００９７】
以上のように、本発明は、自動二輪車のリフトアップを適切に抑制することが可能であると共に、その際の自動二輪車にジャーク等の不自然な挙動が生じることと抑制し、運転者が受ける違和感を低減することが可能な自動二輪車のピッチ角制御装置を提供することができるものであり、その汎用普遍的な性格から車両等の駆動力制御装置に広く適用され得るものと期待される。
【符号の説明】
【００９８】
１…自動二輪車のピッチ角制御装置
２…前輪リフト状態判定部
３…制御部
４１…クランクセンサ
４２…ギアポジションセンサ
４３…アクセルポジションセンサ
４４…前輪速センサ
４５…後輪速センサ
４６…加速度センサ
５１…インジェクタ
５２…点火装置
５３…スロットル弁
【図１】
2019065755.tif 000007
【図２】
2019065755.tif 000008
【図３】
2019065755.tif 000009
【図４】
2019065755.tif 000010